(57)【要約】【課題】フィルム包装袋内にティッシュペーパー束が収容された携帯用ティッシュにおいて、フック等に縦向きに吊下げても、ティッシュペーパー束のヨレや型崩れが起こり難いようにする。【解決手段】フィルム包装袋３は、短辺側側縁の２辺４Ａ、４Ｂをシール封鎖した２辺シール包装とされ、これらシール部の内の一方側４Ａに吊下げ用開孔４ａが形成され、前記フィルム包装袋３の短辺方向周長と、前記ティッシュペーパー束の短辺方向周長とが等しくなるティッシュペーパー束２Ａの断面積の場合をティッシュ充填率１００％として、前記携帯用ティッシュ１はティッシュ充填率が６０％以上とされるとともに、前記携帯用ティッシュ１の吊下げ用開孔４ａ形成辺側を上側とする縦向き状態で紐により吊持し、７０ｃｍ自由落下させた時の前記ティッシュペーパー束２Ａのヨレ幅が、前記ティッシュペーパー束２Ａの長手寸法の１０％以内となるようにする。【選択図】図１
2005001674.tif 000002
【特許請求の範囲】
【請求項１】
ティッシュペーパーが折り畳まれた状態で積層されるとともに、このティッシュペーパー束が、長手方向に沿ってミシン目が形成されたフィルム包装袋内に収容された携帯用ティッシュにおいて、
前記フィルム包装袋は、短辺側側縁の２辺をシール封鎖した２辺シール包装とされるとともに、これらシール部の内の一方側に吊下げ用開孔が形成され、
前記フィルム包装袋の短辺方向周長と、前記ティッシュペーパー束の短辺方向周長とが等しくなるティッシュペーパー束の断面積の場合をティッシュ充填率１００％として、前記携帯用ティッシュはティッシュ充填率が６０％以上とされるとともに、前記携帯用ティッシュの吊下げ用開孔形成辺側を上側とする縦向き状態で紐により吊持し、７０ｃｍ自由落下させた時の前記ティッシュペーパー束のヨレ幅が、前記ティッシュペーパー束の長手寸法の１０％以内であることを特徴とする携帯用ティッシュ。
【請求項２】
前記ティッシュペーパーは、２本／枚以上の折り線で折り畳まれている請求項１記載の携帯用ティッシュ。
【請求項３】
前記ティッシュペーパーは、折り畳まれた状態で両側縁部に夫々折り線が位置するように２本／枚以上の折り線で折り畳まれている請求項１記載の携帯用ティッシュ。
【請求項４】
前記ティッシュペーパー束は最上部のティッシュペーパーを取り出しても、次のティッシュペーパーが前記フィルム包装袋の取出口から外部に突出しない折り方で折り畳まれている請求項１〜３いずれかに記載の携帯用ティッシュ。
【請求項５】
前記フィルム包装袋の４５°カンチレバー法による剛軟度に対するティッシュペーパー束の４５°カンチレバー法による剛軟度の割合が２０〜６０％である請求項１〜４いずれかに記載の携帯用ティッシュ。
【請求項６】
前記ティッシュペーパーはグリセリンを主成分とする保湿液をシート重量に対して５〜３０％含浸させたティッシュペーパーである請求項１〜５いずれかに記載の携帯用ティッシュ。
【請求項７】
前記ティッシュペーパーはシート米坪が１０〜２５ｇ／ｍ２である請求項１〜６いずれかに記載の携帯用ティッシュ。
【請求項８】
前記フィルム包装袋の２辺シール間の内々距離が１３０〜３００ｍｍ、短辺幅が８０〜１５０ｍｍである請求項１〜７いずれかに記載の携帯用ティッシュ。
【請求項９】
前記ティッシュペーパーは米坪当たりのソフトネスが０．０５〜０．０８ｍ２である請求項１〜８いずれかに記載の携帯用ティッシュ。
【発明の詳細な説明】
【０００１】
【発明の属する技術分野】
本発明は、ある程度の使用量が必要とされる際、使用に供されるパック包装の携帯用ティッシュに係り、詳しくは縦向きに吊下げた状態で陳列されても、収容されたティッシュペーパー束にヨレ（垂れ落ち）が起こり難いとともに、携帯しても型崩れを起こし難い携帯用ティッシュに関する。
【０００２】
【従来の技術】
現在、ティッシュペーパーは使用者の便宜に供するように、種々の形態で市場に提供されている。最も多いのは、ボックス型とポケット型である。前者のボックス型は、上面に取出口を有する紙箱内に、通常は２００組（４００枚）のティッシュペーパーを折り重ねた状態で収容したもので、後者のポケット型は概ね縦７０〜８０ｍｍ、横１１０〜１２０ｍｍのサイズのポリエチレン包装袋内に１０〜１５組程度のティッシュペーパーを折り重ねた状態（以下、ティッシュペーパー束という。）で収容したものである。
【０００３】
近年、これらボックス型とポケット型に加え、中間サイズのパック包装された携帯用ティッシュ（以下、ハンディ型という。）が市場に提供されるようになってきた。このハンディ型携帯ティッシュは、主には鼻炎、花粉症、旅行等のある程度の使用量が必要とされる際、使用に供されるもので、図１０に示されるように、幅方向中心位置に長手方向に沿って１本のミシン目５０ａが形成されたポリエチレン又はポリプロピレン等の包装フィルム５０内に約５０組程度のティッシュペーパー束５１Ａを収容し、短辺側の２側縁５２，５２をそれぞれ封鎖したもので、平面サイズはほぼ前記ボックス型と同程度のサイズを有する。
【０００４】
また、前記ティッシュペーパー束５１Ａは、例えば図１１に示されるように、各ティッシュペーパー５１が略中央線を折り目として約半分に折り畳まれ、ティッシュペーパー５１を１枚づつ交互に対向させ、上側に重ね合わされるティッシュペーパーの下側部分５１ａと下側に重ね合わされるティッシュペーパーの上側部分５１ｂとを順次重ね合わせてなる重畳構造（以下、Ｖ型という。）とし、最上部のティッシュペーパー５１を取り出すと、次のティッシュペーパー５１が取りだし易いようにミシン目５０ａ（取出口）よりその一部が突出する、所謂ポップアップ方式が採用されている。
【０００５】
【発明が解決しようとする課題】
しかしながら、現在市場に提供されている携帯用ティッシュは、フック等に吊り下げできる機構とはなっておらず、例えば販売時等に店頭に陳列しにくい問題点があった。そこで、本発明者等は、フィルム包装袋の短辺側側縁のシール部に吊下げ用開孔を形成し吊下げできる商品の開発を試みたが、特に縦向きに吊り下げた場合には、ティッシュペーパー束が大きくヨレてしまい見栄えが悪く、清潔感を感じられなくなってしまう問題が明らかとなった。
【０００６】
一方、近年はティッシュペーパーにグリセリンや多価アルコール等の保湿液を含浸させたティッシュペーパーが提供されている。この保湿液含浸ティッシュペーパーは、非常に柔軟性が高く、肌に対する刺激が少ない特徴を有し、鼻炎、花粉症等の使用頻度の非常に多い場合に重宝されている。しかし、このような保湿液含浸ティッシュペーパーを収容した携帯用ティッシュを吊り下げできるようにした場合には、前述したヨレがより顕著となってしまうことも判明した。
【０００７】
そこで本発明の主たる課題は、プラスチックフィルム包装袋内にティッシュペーパー束が収容された携帯用ティッシュにおいて、フック等に縦向きに吊り下げてもティッシュペーパー束のヨレや型崩れが起こり難い携帯用ティッシュとすることにある。
【０００８】
【課題を解決するための手段】
前記課題を解決するための請求項１に係る本発明として、ティッシュペーパーが折り畳まれた状態で積層されるとともに、このティッシュペーパー束が、長手方向に沿ってミシン目が形成されたフィルム包装袋内に収容された携帯用ティッシュにおいて、
前記フィルム包装袋は、短辺側側縁の２辺をシール封鎖した２辺シール包装とされるとともに、これらシール部の内の一方側に吊下げ用開孔が形成され、
前記フィルム包装袋の短辺方向周長と、前記ティッシュペーパー束の短辺方向周長とが等しくなるティッシュペーパー束の断面積の場合をティッシュ充填率１００％として、前記携帯用ティッシュはティッシュ充填率が６０％以上とされるとともに、前記携帯用ティッシュの吊下げ用開孔形成辺側を上側とする縦向き状態で紐により吊持し、７０ｃｍ自由落下させた時の前記ティッシュペーパー束のヨレ幅が、前記ティッシュペーパー束の長手寸法の１０％以内であることを特徴とする携帯用ティッシュが提供される。
【０００９】
本発明者等は、図１０及び図１１に示される従来の携帯用ティッシュにおいて、なぜヨレが発生し易いのかを鋭意検討した結果、ティッシュ充填率がヨレに大きく原因していること、さらに収容されるティッシュペーパーの折り方もヨレに大きく影響していることの知見を得た。
【００１０】
その結果、上記請求項１記載の発明では、フィルム包装袋の短辺方向周長と、前記ティッシュペーパー束の短辺方向周長とが等しい場合をティッシュ充填率１００％として、この「ティッシュ充填率」を６０％以上となるように、フィルム包装袋の寸法やティッシュペーパー束の断面積を調整するようにして、７０ｃｍ自由落下させた時の前記ティッシュペーパー束のヨレ幅が、前記ティッシュペーパー束の長手寸法の１０％以内となる携帯用ティッシュを得るようにした。
【００１１】
次いで、請求項２記載の本発明として、前記ティッシュペーパーは、２本／枚以上の折り線で折り畳まれている請求項１記載の携帯用ティッシュが提供される。
【００１２】
本発明者等の検討によれば、ティッシュペーパー束のヨレは、ペーパー束の長手方向剛度に影響していることが判明した。この長手方向剛度の一因子として、折り線があり、この折り線の本数が多いほど長手方向の剛度が上がりヨレが生じ難くなる。しかし、図１１に示されるようなＶ字折りとした場合には、一枚のティッシュペーパーには１本の折り線しか入らないことになるため、ヨレが生じ易い。そこで、図６〜図８に示されるように、折り線を１枚当たり２本以上とすることにより、ティッシュペーパー束の長手方向の剛度アップを図りヨレが生じ難いようにした。
【００１３】
また、請求項３記載の本発明として、前記ティッシュペーパーは、折り畳まれた状態で両側縁部に夫々折り線が位置するように２本／枚以上の折り線で折り畳まれている請求項１記載の携帯用ティッシュが提供される。
【００１４】
本発明者等の検討によれば、ティッシュペーパー束のヨレは、先ず最初に側縁部に折れが入り、この折れが内側に進行することによって生じる事が判明した。従って、折り線の位置が内面側に存在するよりは、図６及び図７に示される折り方のように、両側縁部分に存在する方がより効果的にヨレを防止し得るようになる。
【００１５】
請求項４記載の発明として、前記ティッシュペーパー束は最上部のティッシュペーパーを取り出しても、次のティッシュペーパーが前記フィルム包装袋の取出口から外部に突出しない折り方で折り畳まれている請求項１〜３いずれかに記載の携帯用ティッシュが提供される。
【００１６】
図６〜図８に示される本発明に係る折り方は、ポップアップ方式を採用しない折り方である。しかし、従来のポップアップ方式の場合には、携帯時に最上部のティッシュが擦れて皺だらけになって見栄えが悪く清潔感が感じられなくなってしまう欠点があったが、逆に次のティッシュペーパーが取出口から外に出ないようにすることによって上記問題が解決でき衛生的となる。
【００１７】
請求項５記載の発明として、前記フィルム包装袋の４５°カンチレバー法による剛軟度に対するティッシュペーパー束の４５°カンチレバー法による剛軟度の割合が２０〜６０％である請求項１〜４いずれかに記載の携帯用ティッシュが提供される。
【００１８】
請求項６記載の発明として、前記ティッシュペーパーはグリセリンを主成分とする保湿液をシート重量に対して５〜３０％含浸させたティッシュペーパーである請求項１〜５いずれかに記載の携帯用ティッシュが提供される。
【００１９】
請求項７記載の発明として、前記ティッシュペーパーはシート米坪が１０〜２５ｇ／ｍ２である請求項１〜６いずれかに記載の携帯用ティッシュが提供される。
【００２０】
請求項８記載の発明として、前記フィルム包装袋の２辺シール間の内々距離が１３０〜３００ｍｍ、短辺幅が８０〜１５０ｍｍである請求項１〜７いずれかに記載の携帯用ティッシュが提供される。
【００２１】
請求項９記載の発明として、前記ティッシュペーパーは米坪当たりのソフトネスが０．０５〜０．０８ｍ２である請求項１〜８いずれかに記載の携帯用ティッシュが提供される。本発明に係る携帯用ティッシュは、ローション入りティッシュペーパーのようにソフトネスが０．０５〜０．０８ｍ２である比較的柔軟性の高いティッシュペーパーに対して好適に適用される。なお、ソフトネスは一般的に単位：ｇで表されるが、ｇ単位の場合、柔らかくて厚いものは高く、薄くて硬いものは低く出てしまう傾向があるため、より正確な柔軟度が数値に反映されるように坪量（ｇ／ｍ２）で除算して米坪当たりの値（単位：ｍ２）で表している。
【００２２】
【発明の実施の形態】
以下、本発明の実施の形態について図面を参照しながら詳述する。
図１は携帯用ティッシュ１の斜視図、図２はそのＩＩ−ＩＩ線矢視図、図３は図１のＩＩＩ−ＩＩＩ線矢視図である。
【００２３】
図１に示されるように、携帯用ティッシュ１は、ティッシュペーパー２が折り畳まれた状態で積層され、プラスチック製のフィルム包装袋３内に収容されたものである。前記フィルム包装袋３の上面にはミシン目３ａが形成されており、使用時には前記ミシン目３ａを開封し、最上部のティッシュペーパー２を取り出すようになっている。
【００２４】
前記フィルム包装袋３は、短辺側側縁４Ａ，４Ｂの２辺をシール封鎖する２辺シール包装が採用されており、図１に示されるように、一方側の短辺側側縁４Ａのシール封鎖部分の幅が他方側の短辺側側縁４Ｂの同部分の幅より広く形成され、この一方側短辺側側縁４Ａに吊下げ用開孔４ａが形成されている。なお、フィルム包装態様には、短辺側の一辺のみをシールする所謂ガセット包装も存在するが、このガセット包装とした場合には、フィルム包装袋３が広がり易くなるため、ティッシュペーパー束２Ａに生じるヨレや型崩れを防止しづらくなる。
【００２５】
本携帯用ティッシュ１では、さらに前記吊下げ用開孔４ａの形成辺側を上側とする縦向き状態で紐により吊持し、７０ｃｍ自由落下させた時の前記ティッシュペーパー束２Ａのヨレ幅が、前記ティッシュペーパー束の長手寸法の１０％以内となるようにする。具体的な試験方法は、図４に示されるように、落下距離が７０ｃｍとなるように、上端が固定された紐５の下端を携帯用ティッシュ１の吊下げ用開孔４ａに結びつける。そして、図５に示されるように、携帯ティッシュ１を７０ｃｍ自由落下させた際の前記ティッシュペーパー束２Ａのヨレ幅ｗが、前記ティッシュペーパー束２Ａの長辺寸法Ｌの１０％以下となるようにする。
【００２６】
このような条件を満たすための具体的手段の一つとして、図３に示されるように、フィルム包装袋３の短辺方向の周長Ｒと、前記ティッシュペーパー束２Ａの短辺方向の周長とが等しくなるティッシュペーパー束２Ａの断面積の場合をティッシュ充填率を１００％として、このティッシュ充填率が６０％以上、好ましくは７５％以上、より好ましくは９０％以上となるように前記フィルム包装袋３の短辺方向周長Ｒおよびティッシュペーパー束２Ａの断面積を決定する。前記ティッシュ充填率が６０％未満である場合には、ティッシュペーパー束２Ａとフィルム包装袋３との間に摩擦が生じず、ヨレ幅が規定値を超えてしまい携帯用ティッシュ１を縦向きで吊り下げた場合にティッシュペーパー束２Ａのヨレを防ぐことができないとともに、型崩れを防止できなくなる。
【００２７】
また、好ましくは前記ティッシュ充填率による規定と同時に、図６〜図８に示されるように、各ティッシュペーパー２は２本／枚以上の折り線が存在する折り方で折り畳むようにする。
【００２８】
まず、図６に示される重畳構造は、断面略Ｚ状（以下、Ｚ型という。）となるように、各ティッシュペーパー２の一方端を上側に、他方端を下側にほぼ等しい長さで折り返して両側縁に夫々折り線Ｋ、Ｋを有するようにした重畳構造である。この場合、ティッシュペーパー束２Ａが嵩張らないように、折り返された上部分２ａおよび下部分２ｂの先端が、ティッシュペーパー２の中心線Ｏより手前側に位置するようにするのが望ましい。
【００２９】
また、図７に示される重畳構造は、断面略Ｃ状（以下、Ｃ型という。）となるように、両端部分を共に上面側に折り返して各ティッシュペーパー２の両側縁に夫々折り線Ｋ、Ｋを有するようにした重畳構造である。折返し部分の先端が中心線Ｏより手前に位置するようにする点は図６の場合と同様である。
【００３０】
さらに図８に示される重畳構造は、各ティッシュペーパー２、２’…が夫々４本／枚の折り線を有するように、断面略逆Ω状（以下、Ω型という。）に折り畳むようにした重畳構造である。但し、すべてのティッシュペーパーを同様の折り方とした場合には、嵩が増すようになるため、折り位置を交互に変えるようにしている。具体的には、第１ティッシュペーパー２においては、基準線Ｓ、Ｓ位置において両端側を上側に等しく折り返して第１折返し部分２ｅ、２ｆを形成するとともに、中心線Ｏよりも若干手前において反対側に折返して、第２折返し部分２ｇ、２ｈを形成する。上下に隣接する第２ティッシュペーパー２’においては、ティッシュペーパーの幅寸法が同じになるように第１ティッシュペーパー２の側縁位置にて両端側を上側に等しく折り返して第１折返し部分２ｉ、２ｊを形成し、さらに反対側に折返して、第２折返し部分２ｋ、２ｌを形成する。
【００３１】
これらの３種類の重畳構造の中でも、図６及び図７に示される重畳構造は、両側縁部に夫々折り線が位置するため、ティッシュペーパー束２Ａの長手方向の剛度が上がり、ヨレを効果的に防止し得るようになる。なお、折り方については、上記３種の重畳構造に限定されず、ティッシュペーパーは、２本／枚以上の折り線で折り畳まれていること、好ましくは両側縁部に夫々折り線が位置するように２本／枚以上の折り線で折り畳まれているものであれば、他の重畳構造を採用することでもよい。
【００３２】
これら３種の重畳構造では、最上部のティッシュペーパー２を取り出しても、次のティッシュペーパー２が前記フィルム包装袋３内に保持されフィルム包装袋の取出口から外部に突出しない非ポップアップ式となっているが、取出しの点からすると不都合であるものの、フィルム包装袋３の取出口３ａからティッシュペーパー２が突出しないため、見栄えが良いとともに、衛生的となる利点がある。
【００３３】
他方、本携帯用ティッシュ１では、４５°カンチレバー法による剛軟度試験において、前記フィルム包装袋３の剛軟度に対するティッシュペーパー束２Ａの剛軟度の割合は２０〜６０％とするのが望ましい。この割合が高いほど収容されるティッシュペーパー束２Ａの剛度が製品剛度に反映され、低いほどフィルム包装袋３の剛度が製品剛度に反映されていることを示すことになる。前記割合が２０％未満である場合には、相対的にティッシュペーパー束２Ａの剛度が低く、一方でフィルム包装袋３の剛度が高く成り過ぎることになり、ティッシュペーパー束２Ａの拠れや型崩れ防止効果は高いものの、フィルム剛度が高く取扱い感に欠けるものとなる。また、前記割合が６０％を超える場合には、相対的にフィルム包装袋３の剛度が小さすぎて、ティッシュペーパー束２Ａのヨレや型崩れを防止することができない。
【００３４】
前記４５°カンチレバー法は、材料の剛軟度を測定する試験法の一種で、試験器としては、図９（Ａ）に示されるように、一端が４５°の傾斜面８とされ、かつ上面９と下面１０とが平行している水平台７で、上面９の片側にスケール１１を取り付けたものが用いられる。試験方法は、標準的には幅２ｃｍ×長さ約１５ｃｍの短冊状試験片を作製し、図９（Ｂ）に示されるように、斜面より徐々に突き出した際に斜面８に試験片１２の先端が接触した際の突出長さｌ（ｃｍ）で剛軟度を評価するものである。なお、本発明における４５°カンチレバー法による剛軟度は、上記寸法の試験片は作製せず、フィルム包装袋３、ティッシュペーパー束２Ａを裁断せずにそのまま試験に供した数値である。
【００３５】
ところで、本携帯用ティッシュ１におけるティッシュペーパー２は、ごく一般的なものであってもよいが、本フィルム包装袋３は収容されるティッシュペーパー束２Ａの形状保持性が優れている点で、グリセリンを主成分とする保湿液を含浸させたティッシュペーパー２に対して特に好適に使用することができる。前記保湿液はシート重量に対して５〜３０％含浸させるようにするのが望ましい。また、ティッシュペーパー２の米坪は通常通り、１０〜２５ｇ／ｍ２のものが用いられる。
【００３６】
柔軟度においても、ソフトネス測定法（ＪＩＳ１０９６  一般織物試験方法６．１９剛軟度Ｅ法（ハンドルオメータ法）に準拠）を指標値とした場合に、米坪当たりのソフトネスが０．０５〜０．０８ｍ２のものが用いられる。前記ソフトネス試験法はＪＩＳ  Ｌ１０９６  ハンドルオメーター法による測定方法である。具体的には、ペーパーシート（１００×１００ｍｍ）を一定の隙間（５ｍｍ）に押し入れるのに必要な仕事量を測定する原理のハンドルオメーターによる。測定手順は下記の通りである。
【００３７】
（１）ペーパーシート１００×１００ｍｍに裁断する。
（２）ペーパーシートは加圧板が試料の中心を折り曲げるように受板の上に置く。（３）試験は縦方向、横方向各４回測定する。
（４）縦横の平均値
▲１▼縦横各平均値×５０÷１００
（５）ソフトネス（ｇ）＝（縦のソフトネス（ｇ）×横のソフトネス（ｇ））１／２
（６）ソフトネス（ｍ２）＝ソフトネス（ｇ）÷坪量（ｇ／ｍ２）
以上、本形態例で詳説した携帯用ティッシュ１には、所謂ポケットティッシュは含まれず、鼻炎、花粉症、旅行等のある程度の使用量が必要とされる際に、使用に供されるパック包装の携帯用ティッシュが対象とされる。従って、前記フィルム包装袋３の寸法としては、２辺シール間の内々距離が１３０〜３００ｍｍ、短辺幅が８０〜１５０ｍｍのものとなる。
【００３８】
【実施例】
異なるティッシュ充填率、重畳構造のティッシュペーパー束２Ａをフィルム装袋３内に収容した携帯用ティッシュをそれぞれ試作し、これらの携帯用ティッシュのヨレ幅を測定した。その結果を下表１に示す。なお、試作した各携帯用ティッシュのフィルム素材・厚み、ティッシュペーパーの組数・重畳構造、ティッシュ充填率、４５°カンチレバー剛軟度等は表１のとおりである。
【００３９】
【表１】
2005001674.tif 000003
【００４０】
【発明の効果】
以上詳説のとおり本発明によれば、プラスチックフィルム包装袋内にティッシュペーパー束が収容された携帯用ティッシュにおいて、フック等に縦向きに吊下げても、ティッシュペーパー束のヨレや型崩れが起こり難い携帯用ティッシュとすることができる。
【図面の簡単な説明】
【図１】携帯用ティッシュ１の斜視図である。
【図２】そのＩＩ−ＩＩ線矢視図である。
【図３】図１のＩＩＩ−ＩＩＩ線矢視図である。
【図４】ティッシュペーパー束２Ａのヨレ幅を測定するための試験要領図である。
【図５】試験後のヨレ状態図である。
【図６】ティッシュペーパー２の重畳構造（Ｚ型）を示す断面図である。
【図７】ティッシュペーパー２の重畳構造（Ｃ型）を示す断面図である。
【図８】ティッシュペーパー２の重畳構造（Ω型）を示す断面図である。
【図９】４５°カンチレバー法を示す、（Ａ）は試験器斜視図、（Ｂ）は試験要領図である。
【図１０】従来のハンディ型携帯用ティッシュを示す断面図である。
【図１１】従来のハンディ型携帯用ティッシュの重畳構造（Ｖ型）を示す断面図である。
【符号の説明】
１…携帯用ティッシュ、２…ティッシュペーパー、２Ａ…ティッシュペーパー束、３…フィルム包装袋、４Ａ・４Ｂ…短辺側側縁、４ａ…吊下げ用開孔
【図１】
2005001674.tif 000004
【図２】
2005001674.tif 000005
【図３】
2005001674.tif 000006
【図４】
2005001674.tif 000007
【図５】
2005001674.tif 000008
【図６】
2005001674.tif 000009
【図７】
2005001674.tif 000010
【図８】
2005001674.tif 000011
【図９】
2005001674.tif 000012
【図１０】
2005001674.tif 000013
【図１１】
2005001674.tif 000014